(57)【要約】【課題】吹出し空気の送風範囲を広げるとともに、操作部を本体の天面部に広く確保でき、操作部の操作性を向上することを目的とする。【解決手段】本体１の天面部２を前後に分割し、天面後部２ｂに設けたルーバー５により、上方向から水平方向まで吹出口６から送風を広範囲に供給することができ、広い送風範囲を確保しながらも、ハンドル４を吹出口６の周囲を囲むように配置することにより、もう一方の天面前部２ａに操作部３を広く確保し、操作部３の操作性および視認性を向上させることができる風向変更装置を提供できる。【選択図】図１
2008202871.tif 000002
【特許請求の範囲】
【請求項１】
送風手段を備えた本体と、この本体に設けた略平面をなす天面部と、この天面部を前後に区分けして設けた天面前部および天面後部と、前記天面前部に設けた操作部と、前記天面後部を形成する回動可能に設けたルーバーおよびハンドルと、前記ルーバ―下方に前記送風手段と連通して開口する吹出口を有し、前記ハンドルは少なくとも前記吹出口を包囲する構成としてなる風向変更装置。
【請求項２】
ハンドルはルーバーを包囲する構成としてなる請求項１記載の風向変更装置。
【請求項３】
天面前部と天面後部を区分けする境界線を設け、天面前部に設けた操作部を、前記境界線を基準とする配置とした請求項１または２記載の風向変更装置。
【請求項４】
天面前部と天面後部を区分けする境界線は、天面部を横断する１つの直線をなし、この境界線に、操作部の上端辺をあわせるとともに、ルーバーおよびハンドルの下端辺を合わせてなる請求項３記載の風向変更装置。
【請求項５】
ルーバーが水平状態のときに、本体の後方に開口する水平通風口を有し、ルーバーの起伏動作により吹出方向を上方向と水平方向に変更可能に設け、ハンドルを倒しているときは、ハンドルは前記水平通風口を包囲してなる請求項１または２記載の風向変更装置。
【請求項６】
ハンドルは水平通風口の一部を形成してなる請求項５記載の風向変更装置。
【請求項７】
ハンドルは一対の支持部と、この支持部に一体に設けた握り部からなり、前記支持部に折り曲げ部を設けてなる請求項５または６記載の風向変更装置。
【請求項８】
ハンドルの握り部の断面を略三角形状にして、ハンドルの最大起立時に前記握り部の下面が平面となる請求項５〜７のいずれかに記載の風向変更装置。
【請求項９】
ルーバーの回転軸を、ルーバー奥行きの中心側に配し、ルーバー起立時に下部が天面部より沈み込む構成とした請求項１〜８のいずれかに記載の風向変更装置。
【請求項１０】
ルーバーを回動させる駆動モーターをモーター収納部に収納し、このモーター収納部を前記ルーバーの直下に配置し、前記ルーバーは回動して前記モーター収納部に当接することにより水平状態となる請求項１〜９のいずれかに記載の風向変更装置。
【発明の詳細な説明】
【技術分野】
【０００１】
本発明は、除湿機などの空調機器の吹出口に使用される風向変更装置に関する。
【背景技術】
【０００２】
従来、この種の風向変更装置は、吹出口を上方向から水平方向にまで開口するために、操作部を本体前面または傾斜面に設けて構成するものが知られている（例えば、特許文献１参照）。
【０００３】
以下、その風向変更装置について図７を参照しながら説明する。
【０００４】
図７に示すように、本体１０１の天面に吹出口１０２が上方向から水平方向にかけて開口し、吹出口１０２の上部にルーバー１０３が設けられている。また、ハンドル１０４は吹出口１０２よりも本体後部側に設けられている。操作部１０５は、本体天面が吹出口１０２とハンドル１０４で占められているため、本体前面の傾斜面に配置されている。
【特許文献１】特開２００２−２６７２０３号公報（図１、図６、図７、図８）
【発明の開示】
【発明が解決しようとする課題】
【０００５】
このような風向変更装置では、操作部を天面以外に配置するか、または、ハンドルを操作部の周囲に配置することになるため、操作性を犠牲にするか操作部の範囲が狭くなってしまうという課題があり、送風範囲を広げながらも、操作部を広く確保することができる風向変更装置が要求されている。
【０００６】
本発明は上記従来の課題を解決するものであり、吹出し空気の送風範囲を広げるとともに、操作部を本体天面に広く確保でき、またハンドルの操作性を向上することができる風向変更装置を提供することを目的としている。
【課題を解決するための手段】
【０００７】
本発明の風向変更装置は上記目的を達成するために、送風手段を備えた本体と、この本体に設けた略平面をなす天面部と、この天面部を前後に区分けして設けた天面前部および天面後部と、前記天面前部に設けた操作部と、前記天面後部を形成する回動可能に設けたルーバーおよびハンドルと、前記ルーバ―下方に前記送風手段と連通して開口する吹出口を有し、前記ハンドルは少なくとも前記吹出口を包囲する構成としたものである。
【０００８】
また第２の課題解決手段は、ハンドルはルーバーを包囲する構成としたものである。
【０００９】
また第３の課題解決手段は、天面前部と天面後部を区分けする境界線を設け、天面前部に設けた操作部を、前記境界線を基準とする配置としたものである。
【００１０】
また第４の課題解決手段は、天面前部と天面後部を区分けする境界線は、天面部を横断する１つの直線をなし、この境界線に、操作部の上端辺をあわせるとともに、ルーバーおよびハンドルの下端辺を合わせたものである。
【００１１】
また第５の課題解決手段は、ルーバーが水平状態のときに、本体の後方に開口する水平通風口を有し、ルーバーの回動動作により吹出方向を上方向と水平方向に変更可能に設け、ハンドルを倒しているときは、ハンドルは前記水平通風口を包囲したものである。
【００１２】
また第６の課題解決手段は、ハンドルは水平通風口の一部を形成してなるものである。
【００１３】
また第７の課題解決手段は、ハンドルは一対の支持部と、この支持部に一体に設けた握り部からなり、前記支持部に折り曲げ部を設けてなるものである。
【００１４】
また第８の課題解決手段は、ハンドルの握り部の断面を略三角形状にして、ハンドルの最大起立時に前記握り部の下面が平面となるものである。
【００１５】
また第９の課題解決手段は、ルーバーの回転軸を、ルーバー奥行きの中心よりに配し、ルーバー起立時に下部が天面部より沈み込む構成としたものである。
【００１６】
また第１０の課題解決手段は、ルーバーを回動させる駆動モーターをモーター収納部に収納し、このモーター収納部を前記ルーバーの直下に配置し、前記ルーバーは回動して前記モーター収納部に当接することにより水平状態となるものである。
【００１７】
これらの手段により、吹出し空気の送風範囲を広げるとともに、操作部を本体天面に広く確保でき、またハンドルの操作性を向上することができる風向変更装置が得られる。
【発明の効果】
【００１８】
本発明によれば、操作部を本体の天面部に広い範囲で確保することができ、ハンドルの存在に干渉されずに余裕のあるレイアウトが可能となり、操作性のよい除湿装置を提供できる。
【００１９】
また、ハンドルの握り部が広くなるため、握り部の中央付近を持って直接持ち上げる場合や、握り部の端の方を持って引っ張る場合など、様々な運搬用途に対応することができる。
【００２０】
また、本体の限られた天面部の範囲内にハンドルを設けても、ルーバーを天面部の中央付近に配置でき、本体の上部中央から効率よく送風することができる。
【００２１】
また、操作部の上端が境界線と一致するため、境界線を基準として操作部のスイッチボタンなどを整然と配置したレイアウトにできるので、スイッチ操作性が向上する。
【００２２】
また、操作部の上端が直線となるため、操作部を広く確保できるので、スイッチボタンや表示灯などを分かり易く分散して配置できるので、操作感を増すことができる。
【００２３】
また、操作部、ルーバーおよびハンドルの境界線が直線となるため、平面状の各部品の配置が分かり易くなり、外観の見栄えを良くすることができる。
【００２４】
また、上方から見て、吹出口またはルーバーの周囲にハンドルを配置するため、ハンドルに邪魔されずに吹出範囲を広げることができ、またルーバーとハンドルを省スペースで配置することができる。
【００２５】
また、収納状態のハンドルを有効活用して吹出口の一部を形成することにより、吹出口周辺の省スペース化を実現することができる。
【００２６】
また、ハンドルの折り曲げ部を吹出口として突き出すことにより、適正な範囲に吹き出し風向を制御することができる。
【００２７】
また、ハンドルの最大直立時の下面を水平面となるようにしているので、本体運搬時に手に掛かる圧力を低減して、操作性を向上することができる。
【００２８】
また、ルーバーが直立した状態でハンドルを操作しても、ハンドルとルーバー先端間の距離が十分に保たれるので、容易にハンドルに手を掛けて使用することができる。
【００２９】
また、ルーバーを回動させるモーターの収納部を、ルーバーの回転位置決め部品として利用できるため、部品構成の簡略化ができる。
【発明を実施するための最良の形態】
【００３０】
本発明の請求項１記載の発明は、送風手段を備えた本体と、この本体に設けた略平面をなす天面部と、この天面部を前後に区分けして設けた天面前部および天面後部と、前記天面前部に設けた操作部と、前記天面後部を形成する回動可能に設けたルーバーおよびハンドルと、前記ルーバ―下方に前記送風手段と連通して開口する吹出口を有し、前記ハンドルは少なくとも前記吹出口を包囲する構成としたものであり、ハンドルが吹出口を囲むように配置することにより、操作部の範囲をハンドルに干渉されることなく確保でき、またハンドルの握り部を長く大きくできるため、本体を運搬するときに、握り部の中央付近を持って直接持ち上げる場合や、握り部の端の方を持って引っ張る場合など、様々な運搬用途に対応できるという作用を有する。
【００３１】
また、ハンドルはルーバーを包囲する構成としたものであり、ハンドルがあってもルーバーを本体天面の中央付近に配置でき、本体中央から効率よく送風することができ、またハンドルとルーバーを限られたスペース内に収めることができるという作用を有する。
【００３２】
また、天面前部と天面後部を区分けする境界線を設け、天面前部に設けた操作部を、前記境界線を基準とする配置としたものであり、操作部の上端が境界線と一致するため、境界線を基準として操作部のスイッチボタンなどを整然と配置したレイアウトにできるという作用を有する。
【００３３】
また、天面前部と天面後部を区分けする境界線は、天面部を横断する１つの直線をなし、この境界線に、操作部の上端辺をあわせるとともに、ルーバーおよびハンドルの下端辺を合わせたものであり、操作部、ルーバーおよびハンドルの境界線が直線となるため、平面状の各部品の配置が分かり易くなり、外観の見栄えを良くすることができるという作用を有する。
【００３４】
また、ルーバーが水平状態のときに、本体の後方に開口する水平通風口を有し、ルーバーの回動動作により吹出方向を上方向と水平方向に変更可能に設け、ハンドルを倒しているときは、ハンドルは前記水平通風口を包囲したものであり、水平通風口の周囲にハンドルを配置するため、ハンドルに邪魔されずに、ルーバーにより吹出範囲を変更することができるという作用を有する。
【００３５】
また、ハンドルは水平通風口の一部を形成したものであり、収納状態のハンドルを有効活用して水平通風口を構成することができるという作用を有する。
【００３６】
また、ハンドルは一対の支持部と、この支持部に一体に設けた握り部からなり、前記支持部に折り曲げ部を設けたものであり、ハンドルの支持部の折り曲げ部がルーバーの左右に突き出しているので、左右方向の風向を規制できるという作用を有する。
【００３７】
また、ハンドルの握り部の断面を略三角形状にして、ハンドルの最大起立時に前記握り部の下面が平面となるものであり、本体運搬時に手に掛かる圧力を低減することができるという作用を有する。
【００３８】
また、ルーバーの回転軸を、ルーバー奥行きの中心側に配し、ルーバー起立時に下部が沈み込む構成としたものであり、ハンドルとルーバーがともに直立したときに、手が挿入しやすいように、ハンドルとルーバー間の距離が適正に保たれるという作用を有する。
【００３９】
また、ルーバーを回動させる駆動モーターをモーター収納部に収納し、このモーター収納部を前記ルーバーの直下に配置し、前記ルーバーは回動して前記モーター収納部に当接することにより水平状態となるものであり、モーター収納部をルーバーの回転位置決めに利用して、部品を削減できるという作用を有する。
【００４０】
以下、本発明の実施の形態について図面を参照しながら説明する。
【００４１】
（実施の形態１）
図１〜図６に示すように、本体１の内部に送風手段８を設け、本体１の上部中央に送風手段８と連通する吹出口６を備えている。本体１の天面部２を平面形状として、天面部２の前後端はなだらかな曲面を設けて、本体１の前面部および後面部に繋がる外観形状をなしている。
【００４２】
天面部２は直線状の境界線７によって天面前部２ａと天面後部２ｂとに区分されている。天面前部２ａにはスイッチボタン３ｃや表示部３ｂからなる操作部３を設けている。また天面後部２ｂには吹出口６の上方位置に、吹出口６からの風向を変更するルーバー５と、吹出口６およびルーバー５を囲むように配置される大型のハンドル４を設けている。
【００４３】
ルーバー５は駆動モーター１０により水平状態と起立状態との間を回動可能に設けられ、水平状態で停止するときはルーバー５の上面は天面後部２ｂの一部をなしている。またハンドル４は支持部４ｂで起伏可能に本体１と接続され、使用しないときは後方に倒して本体１の上部に収納することにより、ハンドル４の上面はルーバー５の上面と同一平面となる。すなわち、ルーバー５が水平状態であり、かつハンドル４を倒した状態のときは、天面後部２ｂが平面形状となるものである。
【００４４】
天面前部２ａに設けた操作部３の上端辺３ｃは直線をなし、天面前部２ａと天面後部２ｂとを区分している境界線７と同一線上にあり、また操作部３の左右も境界線７に直交する天面前部２ａの両端に設けた直線１１ａ、１１ｂにより挟まれ、操作部３は天面前部２ａを占有している。そして、操作部３内のスイッチボタン３ｃおよび表示部３ｂを、境界線７を基準としたレイアウトで規則的に配置することができ、広い操作部３の中で余裕を持ってスイッチボタン３ａなどを配置できるようにしている。
【００４５】
また、天面後部２ｂに設けたルーバー５とハンドル４は、平面視してそれぞれの下端辺５ａ、４ａを同一直線上に繋げるとともに、境界線７とも同一直線上に設けている。同時にハンドル４の支持部４ｂの両端部分も直線をなし、天面前部２ａの両端に設けた直線１１ａ、１１ｂと繋げて、天面部２全体として見栄えの良い配置としている。
【００４６】
また、収納状態のハンドル４は、支持部４ｂが水平から下方に屈折した形状をなしており、ルーバー５を包囲するとともに、吹出口６をも包囲しているので、ルーバー５の回動や風口変更に対して障害とならないよう配置されている。ルーバー５は上方向に開口する吹出口６からの吹出風を、上方向または水平方向に風向変更するものであり、ルーバー５を水平方向にセットしたときに、吹き出し面として水平通風口９を形成している。すなわち、ルーバー５の先端とハンドル４の枠内に囲まれた範囲内に水平通風口９が開口するものであり、ハンドル４の支持部４ｂと握り部４ｃにて水平通風口９が形成されている。とくに、ハンドル４の支持部４ｂは中間に折り曲げ部４ｄを設けて突き出しているので、吹出口６からの吹出風がハンドル４内を通過するときに、上方向と水平方向のいずれにも左右方向の吹出方向が安定する構成となっている。また、ハンドルの握り部４ｃの断面を三角形状にして、ハンドル４の最大直立時に第２表面４ｆが水平となる平面または凸状の曲面としている。
【００４７】
また、ルーバー５の回転軸５ｂをルーバー５の中心側に設けることにより、ルーバー５が上方に回動して直立状態となるときに、ルーバー５の下部５ｃが下方に沈み込む動きをしながら、高さを抑えて起立できる構成としている。
【００４８】
また、ルーバー５を回動させる駆動モーター１０を、ルーバー５の直下で開口部の端部にあるモーター収納部１０ａに設け、ルーバー５が下方に回動して、略水平の姿勢となったときに、モーター収納部１０ａに設けた当り部１０ｂに当接する寸法関係を備え、ルーバー５を水平状態に保持する構成となっている。
【００４９】
上記構成において、図１〜図３に示すように、本体１の天面部２を前後に略２分割に区分し、天面前部２ａの区分された広い領域に操作部３のみを整然と配置することにより、操作部３がハンドル４や吹出口６に干渉されずに、余裕をもってレイアウトできるので、操作部３の操作性を向上することができる。
【００５０】
また、天面後部２ｂにおいては、ハンドル４が吹出口６を包囲するように設けているので、ハンドル４の形状は大きくなるが、その握り部４ｃが長くなるため、握り部４ｃの中央付近を持って直接持ち上げる場合や、本体１底面に設けたキャスター等でころがして、握り部４ｃの端の方を持って引っ張る場合などの、様々な運搬用途に合わせて使い分けることができる。
【００５１】
また、図２および図４に示すように、ハンドル４はルーバー５を包囲するような大きさとしているので、ハンドル４があってもルーバー５を本体１の天面部２の中央付近に配置でき、本体１の中央から最適な送風範囲を設定することができ、また本体１の天面後部２ｂに無駄な領域がないように、ハンドル４とルーバー５を密接状態として省スペースで設置することができる。
【００５２】
また、図３に示すように、天面前部２ａに設けた操作部３のスイッチボタン３ｃなどを、境界線７を基準とする配置としているので、操作部３のスイッチボタン３ｃの操作感を増すとともに、表示部３ｂの視認性を高めることができる。
【００５３】
さらに、操作部３の上端辺３ａを合わせた境界線７に、ルーバー５およびハンドル４の下端辺５ａ，４ａを合わせたことにより、操作部３、ルーバー５およびハンドル４の平面視した各部品の配置が分かり易くなり、外観の見栄えを良くすることができる。
【００５４】
また、図４に示すように、ハンドル４を倒しているときは、本体１の後方に開口する水平通風口９をハンドル４が包囲しているので、ハンドル４に邪魔されずに、ルーバー５の動作により吹出方向を自由に変更できる。
【００５５】
さらに、ハンドル４は支持部４ｂの中間に折り曲げ部４ｄを設けているので、突き出た折り曲げ部４ｄが左右の吹出し方向を一定範囲に規制することができ、ルーバー５の上方向から水平方向までの送風方向を正確に保つことができる。
【００５６】
また、図２および図６に示すように、ルーバー５が水平位置にあるとき、ハンドル４は水平通風口９の両側辺と下辺を形成することになる。このように、収納状態のハンドル４を有効活用して水平通風口９を構成することにより、水平通風口９に本来必要な部品を追加することがなく、水平通風口９周辺の省スペース化を実現することができる。
【００５７】
また、図５および図６に示すように、ハンドル４の握り部４ｃの断面を略三角形状にして、ハンドル４の本体１への収納状態では握り部４ｃの第１表面４ｅは水平状態となり、本体１の後方上部に収納されている。つぎに、ハンドル４の最大起立時には、握り部４ｃは回転して第２表面４ｆが下面となり、第２表面４ｆは平面または凸状の曲面を呈しているので、握り部４ｃを掴んで本体１を運搬するときは、手に掛かる本体１乗量の圧力を軽減することができる。
【００５８】
さらに、ルーバー５の回転軸５ｂを、ルーバー５の奥行幅の中心側に設けることにより、ルーバー５が回動して起立時に、ルーバー５の下部５ｃが沈み込むように動くので、ルーバー５の高さを抑制することができ、この状態でハンドル４を掴んで本体１を運搬するときは、ハンドル４の第２表面４ｆとルーバー５の上端との距離ｄが適正に保たれるので、手が挿入しやすくなり、本体１の運搬が容易にできることとなる。
【００５９】
また、図４および図５に示すように、ルーバー５を回動させる駆動モーター１０をモーター収納部１０ａに収納し、モーター収納部１０ａをルーバー５の直下に配置し、ルーバー５の下方への回動時に、モーター収納部１０ａに設けた当り部１０ｂに当接させて水平状態を保つようにしているので、モーター収納部１０ａをルーバー５の回転位置決めに利用することができ、当り部１０ｂに相当する別部品を削減することができる。
【００６０】
なお、本実施の形態では、本体１の天面部２を略２分割して操作部３の領域を大きくしているが、天面部２、操作部３、ルーバー５などの条件に応じて、天面部２の分割比率を大小変更することにより、操作部の操作性をさらに改善するようにしてもよく、逆にルーバーの機能を向上するようにしてもよい。
【産業上の利用可能性】
【００６１】
本発明は上方向から水平方向まで広く開口した吹出口の周囲を囲むようにハンドルを配置することで、本体天面の操作部を広く確保するものであり、除湿機、加湿器、空気清浄機、エアコンなどの空調機器の用途にも適用できる。
【図面の簡単な説明】
【００６２】
【図１】本発明の実施の形態１の一部破断の前面斜視図
【図２】同、要部背面斜視図
【図３】同、前面斜視の拡大図
【図４】同、ルーバー起立時の背面斜視図
【図５】同、ルーバー起立におけるハンドルの回転状態を示す概略断面図
【図６】同、ルーバーおよびハンドルの水平状態を示す概略断面図
【図７】従来の風向変更装置の断面図
【符号の説明】
【００６３】
１      本体
２      天面部
２ａ    天面前部
２ｂ    天面後部
３      操作部
３ａ    上端辺
４      ハンドル
４ａ    下端辺
４ｂ    支持部
４ｃ    握り部
４ｄ    折り曲げ部
５      ルーバー
５ａ    下端辺
５ｂ    回転軸
５ｃ    下部
６      吹出口
７      境界線
８      送風手段
９      水平通風口
１０    駆動モーター
１０ａ  モーター収納部
【図１】
2008202871.tif 000003
【図２】
2008202871.tif 000004
【図３】
2008202871.tif 000005
【図４】
2008202871.tif 000006
【図５】
2008202871.tif 000007
【図６】
2008202871.tif 000008
【図７】
2008202871.tif 000009